(57)【要約】  本発明の表示装置は、光を出射する光源（３０Ａ〜３０Ｃ）と、映像を表示する表示パネル（３２）と、光源（３０Ａ〜３０Ｃ）から出射された光を表示パネルに導光する導光パネル（３４）とを有する。導光パネル（３４）は、光源（３０Ａ〜３０Ｃ）に対向する入射面（３４ａ）、表示パネルに対向する出射面（３４ｂ）、入射面（３４ａ）に対向する第１の反射面（３４ｃ）、および出射面（３４ｂ）に対向する第２の反射面（３４ｄ）を含んでいる。第１の反射面（３４ｃ）は、導光パネル（３４）内において表示パネルと導光パネルの対向方向視で反射光が平行光に近づくように光を反射する凹面形状を備え、且つ、前記入射面（３４ａ）に対して０度より大きい角度で傾斜し、前記第２の反射面（３４ｄ）と９０度より小さい角度で交差している。
2020174798.tif 000002
【特許請求の範囲】
【請求項１】
光を出射する光源と、  映像を表示する表示パネルと、  前記光源から出射された光を前記表示パネルに導光する導光パネルと、を有し、  前記導光パネルが、前記光源に対向する入射面、前記表示パネルに対向する出射面、前記入射面に対向する第１の反射面、および前記出射面に対向する第２の反射面を含み、  前記第１の反射面が、前記導光パネル内において前記表示パネルと前記導光パネルの対向方向視で反射光が平行光に近づくように光を反射する凹面形状を備え、且つ、前記入射面に対して０度より大きい角度で傾斜し、前記第２の反射面と９０度より小さい角度で交差している、表示装置。
【請求項２】
前記導光パネルの屈折率をｎ、  前記入射面の直交方向に対する前記第２の反射面の傾き角度をα、  前記入射面に対する前記第１の反射面の傾き角度をβ、  前記入射面での前記対向方向の前記導光パネルの厚さをｔ１、  前記反射面での前記対向方向の前記導光パネルの厚さをｔ２、  前記表示パネルの前記直交方向の中心に対応する位置での前記導光パネルの厚さをｔ３、  前記直交方向の前記導光パネルの長さをＬ１、および  前記表示パネルの前記直交方向の中心に対応する前記導光パネルの位置と前記第１の反射面との間の距離をＬ２とした場合、  以下の式を満たす、請求項１に記載の表示装置。【数１】
2020174798.tif 000017
【数２】
2020174798.tif 000018
【数３】
2020174798.tif 000019
【数４】
2020174798.tif 000020
【数５】
2020174798.tif 000021
【請求項３】
前記出射面と前記第２の反射面との間の距離が、前記入射面から前記第１の反射面に向かうにしたがって拡大している、請求項１または２に記載の表示装置。
【請求項４】
前記光源が、複数の光源であって、前記入射面に沿って並んでいる、請求項１から３のいずれか一項に記載の表示装置。
【請求項５】
前記複数の光源それぞれと対向する前記入射面の複数の部分に、前記対向方向視で前記光源から出射された光を狭角配光化するシリンドリカルレンズが設けられている、請求項４に記載の表示装置。
【請求項６】
前記対向方向視で前記入射面の中心と前記第１の反射面の中心とを通過する中心線上から外れている前記光源が、対応するシリンドリカルレンズの光軸に対して前記光源の主光線軸が外側にオフセットするように配置されている、請求項５に記載の表示装置。
【請求項７】
前記中心線に対して線対称に配置されている光源同士の第１の反射面の反射光の主光線軸が前記中心線における前記光源と前記入射面の対向方向の中央で交わるように、前記光源がオフセット配置されている、請求項６に記載の表示装置。
【請求項８】
前記シリンドリカルレンズと前記導光パネルの第１の反射面の凹形状の合成焦点距離が前記導光板の導光方向の長さとほぼ一致する、請求項７に記載の表示装置。
【請求項９】
前記シリンドリカルレンズを挟むように配置された一対のプリズムが設けられ、  前記一対のプリズムは、前記光源から出射された光を前記導光パネルに取り込む光取り込み面を有する、請求項８に記載の表示装置。
【請求項１０】
請求項１から９のいずれか一項に記載の表示装置を有するヘッドアップディスプレイ。
【請求項１１】
アイボックスの上下方向のサイズをＳ（ｄ２）、前記導光パネルの前記表示パネルの長手方向の長さをＬ、最外に位置する光源間の距離をＷとして、以下の式を満たす請求項１０に記載のヘッドアップディスプレイ。【数６】
2020174798.tif 000022
【請求項１２】
請求項１０または１１に記載のヘッドアップディスプレイと、  前記ヘッドアップディスプレイから出力された映像が投影されるウインドシールドと、を有する移動体。
【請求項１３】
光源から出射された光を表示パネルに導光する導光パネルであって、  前記光源にする入射面、前記表示パネルに対向する出射面、前記入射面に対向する第１の反射面、および前記出射面に対向する第２の反射面を含み、  前記第１の反射面が、前記導光パネル内において前記表示パネルと前記導光パネルの対向方向視で反射光が平行光に近づくように光を反射する凹面形状を備え、且つ、前記入射面に対して０度より大きい角度で傾斜し、前記第２の反射面と９０度より小さい角度で交差している、導光パネル。
【発明の詳細な説明】
【技術分野】
【０００１】  本開示は、表示装置、表示装置を備えるヘッドアップディスプレイ、ヘッドアップディスプレイを備える移動体、および導光パネルに関する。
【背景技術】
【０００２】  特許文献１には、車両に搭載されて表示装置を備えるヘッドアップディスプレイが開示されている。ヘッドアップディスプレイから出力された光（映像）は、ウインドシールドを介して、乗員（観察者）のアイボックス内に導かれる。【０００３】  特許文献１に記載のヘッドアップディスプレイの表示装置は、光源と、映像を表示する透過型の表示パネルと、光源からの光を表示パネルに導光する導光パネルとを有する。光源から出射された光は、導光パネルの入射面を介してその内部に入り、その導光パネル内で反射し、そして出射面を介して導光パネルの外部に出射される。導光パネルから出射された光は、表示パネルを通過し、最終的に観察者のアイボックスに到達する。
【先行技術文献】
【特許文献】
【０００４】
【特許文献１】国際公開第２０１７／０９４２０９号
【発明の概要】
【発明が解決しようとする課題】
【０００５】  しかしながら、特許文献１に記載された表示装置の場合、表示パネルと導光パネルとの対向方向視で、光は、大きく発散しつつ導光パネル内を伝播し、導光パネルの出射面から発散しつつ表示パネルに向かって出射される。そのため、表示装置から出力されてウインドシールドに映る映像の輝度が低下する。【０００６】  そこで、本開示は、例えば車両のヘッドアップディスプレイに搭載される表示装置において、高輝度の映像を出力することを目的とする。
【課題を解決するための手段】
【０００７】  本開示の一態様によれば、  光を出射する光源と、  映像を表示する表示パネルと、  前記光源から出射された光を前記表示パネルに導光する導光パネルと、を有し、  前記導光パネルが、前記光源に対向する入射面、前記表示パネルに対向する出射面、前記入射面に対向する第１の反射面、および前記出射面に対向する第２の反射面を含み、  前記第１の反射面が、前記導光パネル内において前記表示パネルと前記導光パネルの対向方向視で反射光が平行光に近づくように光を反射する凹面形状を備え、且つ、前記入射面に対して０度より大きい角度で傾斜し、前記第２の反射面と９０度より小さい角度で交差している、表示装置が提供される。【０００８】  本開示の別の態様によれば、  上述の表示装置を有する、ヘッドアップディスプレイが提供される。【０００９】  本開示の異なる態様によれば、  上述のヘッドアップディスプレイと、  前記ヘッドアップディスプレイから出力された映像が投影されるウインドシールドと、を有する、移動体が提供される。【００１０】  本開示のさらに異なる態様によれば、  光源から出射された光を表示パネルに導光する導光パネルであって、  前記光源に対向する入射面、前記表示パネルに対向する出射面、前記入射面に対向する第１の反射面、および前記出射面に対向する第２の反射面を含み、  前記第１の反射面が、前記導光パネル内において前記表示パネルと前記導光パネルの対向方向視で反射光が平行光に近づくように光を反射する凹面形状を備え、且つ、前記入射面に対して０度より大きい角度で傾斜し、前記第２の反射面と９０度より小さい角度で交差している、導光パネルが提供される。
【発明の効果】
【００１１】  本開示によれば、例えば移動体のヘッドアップディスプレイに搭載される表示装置において、高輝度の映像を出力することができる。
【図面の簡単な説明】
【００１２】
【図１】本開示の実施の形態１に係るヘッドアップディスプレイを搭載した車両の概略図
【図２】実施の形態１に係る表示装置の斜視図
【図３】実施の形態１に係る表示装置の断面図
【図４Ａ】導光パネルの前方斜視図
【図４Ｂ】導光パネルの後方斜視図
【図５Ａ】中央の光源から出射された光の導光パネル内での伝播を示す導光パネルの上面図
【図５Ｂ】外側の光源から出射された光の導光パネル内での伝播を示す導光パネルの上面図
【図６】導光パネルの形状パラメータを示す図
【図７】実施の形態１に係る表示装置と観察者のアイボックスとの間の位置関係を示す図
【図８】本開示の実施の形態２に係る表示装置における導光パネルの斜視図
【図９】実施の形態２に係る導光パネルの入射面を示す導光パネルの上面図
【発明を実施するための形態】
【００１３】  以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】  なお、発明者（ら）は、当業者が本開示を十分に理解するために添付図面および以下の説明を提供するのであって、これらによって特許請求の範囲に記載の主題を限定することを意図するものではない。
【００１５】  以下に、本開示の複数の実施の形態に係る表示装置について図１〜図８を参照して説明する。
【００１６】（実施の形態１）  図１は、本実施の形態１に係るヘッドアップディスプレイを搭載した車両の概略図である。
【００１７】  図１に示すように、車両１０は、例えば自動車であって、透明のウインドシールド１２、すなわちフロントガラスに光（映像）を投影するヘッドアップディスプレイ１４を搭載している。
【００１８】  ヘッドアップディスプレイ１４から出力された光（映像）は、ウインドシールド１２を介して、車両１０に搭乗する運転者などの観察者ＯｂのアイボックスＥＢ内に導かれる。これにより、観察者Ｏｂは虚像Ｉｖを視認する。すなわち、ウインドシールド１２を介して見える風景とそれに重なった虚像Ｉｖとを、観察者Ｏｂは視認する。なお、アイボックスＥＢは、観察者Ｏｂが虚像を欠けることなく視認できる空間領域である。
【００１９】  ヘッドアップディスプレイ１４は、筐体１６を有する。その筐体１６内部に、表示装置２０と、表示装置２０から出力された光（映像）をウインドシールド１２に導くための複数のミラー２２、２４とを有する。例えば、表示装置２０から出力された光を反射する凸ミラー２２と、凸ミラー２２からの光をウインドシールド１２に向かって反射する凹ミラー２４とが筐体１６内に設けられている。ウインドシールド１２と、複数のミラー２２、２４が、表示装置２０から出力された光を観察者ＯｂのアイボックスＥＢに導く反射光学系ＲＳを構成している。なお、表示装置２０からアイボックスＥＢまでの反射光学系ＲＳについては、ヘッドアップディスプレイ１４の車両搭載条件によって異なる。
【００２０】  図２は、本実施の形態１に係る表示装置の斜視図である。図３は、本実施の形態１に係る表示装置の断面図である。なお、図中において示すＸ−Ｙ−Ｚ座標系は、本開示の理解を容易にするためのものであって、本開示を限定するものではない。
【００２１】  図２および図３に示すように、本実施の形態１に係る表示装置２０は、複数の光源３０Ａ〜３０Ｃと、映像を表示する表示パネル３２と、光源３０Ａ〜３０Ｃから出射された光を表示パネル３２に向かって導光する導光パネル３４とを有する。
【００２２】  光源３０Ａ〜３０Ｃは、本実施の形態１の場合、ＬＥＤである。なお、光源の数は、３個に限らず、場合によっては１個、２個または４個以上であってもよい。
【００２３】  表示パネル３２は、本実施の形態１の場合、透過型の液晶パネルである。本実施の形態１の場合、表示パネル３２は、長手方向（Ｙ軸方向）と短手方向（Ｘ軸方向）とを備える矩形状である。すなわち、表示パネル３２は、長手方向と短手方向とを備える映像を表示する。
【００２４】  図４Ａは、導光パネルの前方斜視図である。図４Ｂは、導光パネルの後方斜視図である。
【００２５】  図４Ａおよび図４Ｂに示すように、導光パネル３４は、透明な材料、例えば樹脂材料などから作製されたパネル状の部材である。具体的には、導光パネル３４は、光源３０Ａ〜３０Ｃに対向する入射面３４ａと、表示パネル３２に対向する出射面３４ｂと、入射面３４ａに対向する第１の反射面３４ｃと、出射面３４ｂに対向する第２の反射面３４ｄとを含んでいる。
【００２６】  本実施の形態１の場合、図２および図３に示すように、導光パネル３４の入射面３４ａに対して、複数の光源３０Ａ〜３０Ｃそれぞれは、表示パネル３２の長手方向（Ｙ軸方向）に対向している。また、入射面３４ａに沿うように、表示パネル３２と導光パネル３４の対向方向（Ｚ軸方向）に対して直交する方向である表示パネル３２の短手方向（Ｘ軸方向）に、複数の光源３０Ａ〜３０Ｃは並んでいる。複数の光源３０Ａ〜３０Ｃそれぞれから出射された光は、入射面３４ａを介して導光パネル３４内に進入する。
【００２７】  本実施の形態１の場合、複数の光源３０Ａ〜３０Ｃそれぞれと対向する導光パネル３４の入射面３４ａの部分には、シリンドリカルレンズ３４ｅが一体的に設けられている。
【００２８】  シリンドリカルレンズ３４ｅそれぞれは、表示パネル３２と導光パネル３４の対向方向（Ｚ軸方向）に延在する中心線を部分的に周回する湾曲面を備える。この湾曲面に対して、光源３０Ａ〜３０Ｃが対向している。表示パネル３２と導光パネル３４の対向方向（Ｚ軸方向）視で、光源３０Ａ〜３０Ｃそれぞれから出射されて発散しつつシリンドリカルレンズ３４ｅに入射した光は、シリンドリカルレンズ３４ｅによって導光パネル３４の側面３４ｇ、３４ｈで反射されない程度に狭角配光化される。
【００２９】  導光パネル３４の出射面３４ｂは、表示パネル３２に対向する面である。この出射面３４ｂから出射された光は、表示パネル３２を透過して最終的に観察者ＯｂのアイボックスＥＢに到達する。
【００３０】  本実施の形態１の場合、表示装置２０は、表示パネル３２と導光パネル３４との間にプリズムシートなどの光学部材３６を有する。光学部材３６は、導光パネル３４の出射面３４ｂから出射された光が表示パネル３２に向かうように、その光の進行方向を変更する。具体的には、光学部材３６は、その光学部材３６から出射された光の進行方向を表示パネル３２の法線方向（Ｚ軸方向）に近づくように変更する。
【００３１】  導光パネル３４の第１の反射面３４ｃは、入射面３４ａに対して対向する面であって、導光パネル３４内で光を反射する。すなわち、第１の反射面３４ｃは、入射面３４ａを挟んで、光源３０Ａ〜３０Ｃに対向する。また、第１の反射面３４ｃを介して導光パネル３４の外部に光が漏れないようにミラー３８が設けられている。ミラー３８は、例えば、第１の反射面３４ｃの外側に設けられた鏡面反射フィルムである。なお、この第１の反射面３４ｃのさらなる詳細については後述する。
【００３２】  導光パネル３４の第２の反射面３４ｄは、出射面３４ｂに対して対向する面であって、導光パネル３４内で光を反射する。本実施の形態１の場合、図３に示すように、理由は後述するが、第２の反射面３４ｄは、出射面３４ｂに対して傾斜した面である。具体的には、入射面３４ａから第１の反射面３４ｃに向かうにしたがって、出射面３４ｂと第２の反射面３４ｄとの間の距離が拡大している。
【００３３】  さらに、本実施の形態１の場合、導光パネル３４の第２の反射面３４ｄは、複数のプリズム３４ｆから構成されるプリズム面である。このプリズム面により、第２の反射面３４ｄによって反射されて出射面３４ｂに向かう光は、臨界角に比べて小さい入射角で出射面３４ｂに入射することができる。その結果、出射面３４ｂから出射する光量が増加する。また、第２の反射面３４ｄを介して導光パネル３４の外部に光は漏れないようにミラー４０が設けられている。ミラー４０は、例えば、第２の反射面３４ｄの外側に設けられた鏡面反射フィルムである。
【００３４】  このような導光パネル３４によれば、図３に示すように、光源３０Ａ〜３０Ｃから出射された光（光線）ＬＢは、入射面３４ａを介して導光パネル３４内に入り、その導光パネル３４内において出射面３４ｂ、第１の反射面３４ｃ、および第２の反射面３４ｄのいずれかで反射され、そして、最終的には出射面３４ｂを介して導光パネル３４の外部に出射される。導光パネル３４から出射された光は、光学部材３６によって進行方向を変更された後、表示パネル３２を透過する。
【００３５】  ここからは、導光パネル３４における第１の反射面３４ｃのさらなる詳細について説明する。
【００３６】  図５Ａは、中央の光源３０Ｂから出射された光の導光パネル内での伝播を示す導光パネルの上面図である。図５Ｂは、外側の光源３０Ａ、３０Ｃから出射された光の導光パネル内での伝播を示す導光パネルの上面図である。
【００３７】  図５Ａおよび図５Ｂに示すように、光源３０Ａ〜３０Ｃから出射された光（異なる複数の破線で示されている）は、導光パネル３４内において、表示パネル３２と導光パネル３４の対向方向（Ｚ軸方向）視で発散しつつ第１の反射面３４ｃに向かう。その第１の反射面３４ｃは、表示パネル３２と導光パネル３４の対向方向（Ｚ軸方向）視で凹面形状を備える。具体的には、第１の反射面３４ｃは、その反射光が平行光に近づくように光を反射する凹面形状である。表示パネル３２と導光パネル３４の対向方向（Ｚ軸方向）視で、第１の反射面３４ｃの凹面形状は、シリンドリカルレンズ３４ｅとの合成焦点距離が導光板のY方向長さＬとほぼ一致することが好ましい。
【００３８】  図５Ａおよび図５Ｂに示すように、各光源の第１の反射面３４ｃの反射光は、表示パネル３２と導光パネル３４の対向方向（Ｚ軸方向）視で発散を抑制された状態で、すなわち略平行光で導光パネル３４内を伝播する。そして、図３に示すように、光は、第２の反射面３４ｄで反射され、出射面３４ｂから出射される。
【００３９】  図３に示すように、本実施の形態１の場合、第１の反射面３４ｃは、表示パネル３２の短手方向（Ｘ軸方向）視で第２の反射面３４ｄに向かって傾斜していることが好ましい。つまり、第１の反射面３４ｃは、第２の反射面３４ｄと９０度より小さい角度で交差している。
【００４０】  この場合、第１の反射面３４ｃの反射光の多くが、第２の反射面３４ｄに向かい、そして第２の反射面３４ｄで出射面３４ｂに向かって反射される。これにより、第１の反射面３４ｃが第２の反射面３４ｄに向かって傾斜していない場合に比べて、第１の反射面３４ｃの反射光が、効率よく、すなわち少ない反射回数で出射面３４ｂから出射される。そのため、導光パネル３４内で大きく減衰することなく、導光パネル３４の出射面３４ｂから出射される。
【００４１】  また、上述したようにおよび図３に示すように、本実施の形態１の場合、導光パネル３４において、出射面３４ｂと第２の反射面３４ｄとの間の距離は、入射面３４ａから第１の反射面３４ｃに向かうにしたがって拡大しているのが好ましい。
【００４２】  この場合、光源３０Ａ〜３０Ｃから出射された光が、第１の反射面３４ｃで反射されることなく、すなわち表示パネル３２と導光パネル３４の対向方向（Ｚ軸方向）視で略平行光になることなく、出射面３４ｂから出射することが抑制される。具体的には、光源３０Ａ〜３０Ｃから出射された光の一部が、第２の反射面３４ｄで出射面３４ｂに向かって反射されずに、第１の反射面３４ｃに向かって反射される。これとは逆に、出射面３４ｂと第２の反射面３４ｄとの間の距離が入射面３４ａから第１の反射面３４ｃに向かうにしたがって減少している場合、光源３０Ａ〜３０Ｃから出射された光の一部が、第２の反射面３４ｄで出射面３４ｂに向かって反射される。
【００４３】  したがって、出射面３４ｂと第２の反射面３４ｄとの間の距離が入射面３４ａから第１の反射面３４ｃに向かうにしたがって拡大することにより、光源３０Ａ〜３０Ｃから出射された光の多くが、第１の反射面３４ｃによって表示パネル３２と導光パネル３４の対向方向（Ｚ軸方向）視で略平行光になる。
【００４４】  さらに、図５Ａおよび図５Ｂに示すように、本実施の形態１の場合、表示パネル３２と導光パネル３４との対向方向（Ｚ軸方向）視で、外側に位置する光源３０Ａ、３０Ｃは、その主光線軸Ｒａが対応するシリンドリカルレンズ３４ｅの光軸Ｌａに対して外側にオフセットするように配置されているのが好ましい。
【００４５】  図５Ａに示すように、表示パネル３２と導光パネル３４との対向方向（Ｚ軸方向）視で入射面３４ａの中心と第１の反射面３４ｃの中心とを通過する中心線ＣＬ上に位置する光源３０Ｂは、その主光線軸Ｒａが対応するシリンドリカルレンズ３４ｅの光軸Ｌａと同一直線上に位置するように配置されている。なお、ここで言う「主光線軸」は、最も強度が高い光線の光路に一致するように延在する軸である。
【００４６】  このようなシリンドリカルレンズ３４ｅに対する光源３０Ｂの配置により、光源３０Ｂから出射して対応するシリンドリカルレンズ３４ｅを通過した光は、中心線ＣＬの延在方向（Ｙ軸方向）に第１の反射面３４ｃに向かう。すなわち、光は、導光パネル３４の側面３４ｇ、３４ｈで反射されることなく、第１の反射面３４ｃ全体に到達することができる。その結果、中央の光源３０Ｂの光の多くが、第１の反射面３４ｃにより、表示パネル３２と導光パネル３４の対向方向（Ｚ軸方向）視で略平行光である反射光となる。
【００４７】  これに対して、図５Ｂに示すように、表示パネル３２と導光パネル３４との対向方向（Ｚ軸方向）視で、導光パネル３４の中心線ＣＬから外れている光源３０Ａ、３０Ｃは、その主光線軸Ｒａが対応するシリンドリカルレンズ３４ｅの光軸Ｌａに対して外側にオフセットするように配置されている。これにより、光源３０Ａ、３０Ｃから出射して対応するシリンドリカルレンズ３４ｅを通過した光は、対応するシリンドリカルレンズ３４ｅの光軸Ｌａに対して内側に傾いた方向に伝播する。それにより、その光は、導光パネル３４の側面３４ｇ、３４ｈで反射されることなく、第１の反射面３４ｃに到達することができる。その結果、外側の光源３０Ａ、３０Ｃの光の多くが、第１の反射面３４ｃにより、表示パネル３２と導光パネル３４の対向方向（Ｚ軸方向）視で略平行光である反射光となる。なお、図５Ｂに示すように中心線ＣＬに対して線対称に配置されている光源３０Ａと３０Ｃの第１の反射面３４ｃの反射光の主光線軸は、導光パネル３２の中心線ＣＬ上で交わるのが好ましく、特に、中心線ＣＬの表示パネル３２の長手方向（Ｙ軸方向）の中央で交わることが好ましい。
【００４８】  さらにまた、導光パネル３４は、光源３０Ａ〜３０Ｃの主光線が表示パネル３２の中央部分へ入射するようにその出射面３４ｂから光を出射するのが好ましい。そのための導光パネル３４の形状について、図６を参照しながら説明する。
【００４９】  図６は、導光パネルの形状パラメータを示す図である。
【００５０】  図６に示すように、導光パネル３４の第１の反射面３４ｃで反射された後であって第２の反射面３４ｄに最初に入射した光の入射角をθ１とした場合、その入射角θ１は、下記の数式１で表すことができる。【数１】
2020174798.tif 000003
【００５１】  数式１において、パラメータαは、図６に示すように、表示パネル３２と導光パネル３４の対向方向（Ｚ軸方向）の直交方向（Ｙ軸方向）に対する、すなわち入射面３４ａの直交方向に対する第２の反射面３４ｄの傾き角度である。また、パラメータβは、図６に示すように、表示パネル３２と導光パネル３４の対向方向（Ｚ軸方向）、すなわち入射面３４ａに対する第１の反射面３４ｃの傾き角度である。
【００５２】  また、導光パネル３４において全反射が起こる最小の入射角度、すなわち臨海角をθ２とした場合、その臨界角θ２は、下記の数式２で表すことができる。【数２】
2020174798.tif 000004
【００５３】  数式２において、パラメータｎは、導光パネル３４の屈折率である。
【００５４】  ここで、導光パネル３４の出射面３４ｂからより多くの光を取り出すためには、入射角θ１は全反射が起こる角度である必要がある。すなわち、下記の数式３で示す条件を満たす必要がある。【数３】
2020174798.tif 000005
【００５５】  数式３を変形すると、第１の反射面３４ｃの傾き角度βと臨界角θ２の関係式である下記の数式４で示す条件が得られる。【数４】
2020174798.tif 000006
【００５６】  また、第１の反射面３４ｃの反射光は、出射面３４ｂと第２の反射面３４ｄで全反射しながら導光パネル３４内をY軸方向に伝播する。入射面３４ａに光が到達することなく、出射面３４ｂから光が出射する条件である数式５を下記に示す。【数５】
2020174798.tif 000007
【００５７】  数式５において、パラメータＮは光が第１の反射面３４ｃに反射後に導光パネル３４から出射されるまでの反射回数である。また、パラメータｄは、一度反射して次の反射までに光が伝播する、表示パネル３２と導光パネル３４の対向方向（Ｚ軸方向）の直交方向（Ｙ軸方向）についての距離（反射一回あたりのＹ軸方向の伝播距離）である。さらに、パラメータＬ１は、図６に示すように、表示パネル３２と導光パネル３４の対向方向（Ｚ軸方向）の直交方向（Ｙ軸方向）についての導光パネルの長さである。
【００５８】  反射回数Ｎは、下記の数式６を用いて算出することができる。【数６】
2020174798.tif 000008
【００５９】  第２の反射面３４ｄで反射すると＋２αの光の角度変化が起こり、出射面３４ｂで反射すると±０の光の角度変化が起こる。したがって、一度反射すると、光の角度変化が＋αだけ起こるとみなすことができる。そのため、数式６に示すように、最初の入射角θ１から臨界角θ２を減算して算出された値をαで割り算すれば、入射角が臨界角θ２になるまで、すなわち導光パネル３４から出射されるまでの反射回数Ｎを求めることができる。
【００６０】  なお、本実施の形態１の場合、第２の反射面３４ｄには複数のプリズム３４ｆが設けられている。このプリズム３４ｆを考慮すると、第２の反射面３４ｄに対するプリズム３４ｆの立ち上げ角度がαｐである場合、数式６は、数式７に置き換えられる。【数７】
2020174798.tif 000009
【００６１】  数式５における反射一回あたりの伝播距離ｄは、下記の数式８で算出することができる。【数８】
2020174798.tif 000010
【００６２】  数式８において、右辺第１項の（ｔ１＋ｔ２）／２は、導光パネル３４全体の平均厚さ（表示パネル３２と導光パネル３４の対向方向（Ｚ軸方向）のサイズ）を示している。具体的には、ｔ１は入射面３４ａでの導光パネル３４の厚さであって、ｔ２は第１の反射面３４ｃでの導光パネル３４の厚さである。
【００６３】  数式７によって算出される入射角が臨界角θ２になるまでの反射回数Ｎと数式８によって算出される反射一回あたりの伝播距離ｄとの積が、数式５に示すように導光パネルの長さＬ１に比べて小さい場合に、光が第１の反射面３４ｃに反射後に導光パネル３４から出射される。
【００６４】  なお、数式５に数式７および８を代入することにより、数式５を下記の数式９のように書き換えることができる。【数９】
2020174798.tif 000011
【００６５】  次に、光源３０Ａ〜３０Ｃの主光線が第１の反射面３４ｃで反射後、入射面３４ａに到達することなく、出射面３４ｂから出射する条件、特に出射面３４ｂから出射光が表示パネル３２の中央部分を通過する条件である数式１０を下記に示す。【数１０】
2020174798.tif 000012
【００６６】  数式１０において、パラメータＮ’は、第１の反射面３４ｃで反射された光の入射角が臨界角θ２になるまでの反射回数である。また、パラメータｄ’は、第１の反射面３４ｃで反射された光に関する、一度反射して次の反射までに光が伝播する、表示パネル３２と導光パネル３４の対向方向（Ｚ軸方向）の直交方向（Ｙ軸方向）についての距離（反射一回あたりの伝播距離）である。そして、パラメータＬ２は、図６に示すように、表示パネル３２のＹ軸方向の中心（中心点ＣＰ）に対応する導光パネル３４の位置と第１の反射面３４ｃとの間のＹ軸方向の距離である。
【００６７】  数式１０における反射回数Ｎ’は、下記の数式１１に示すように、数式６と同一である。【数１１】
2020174798.tif 000013
【００６８】  数式１０における反射一回あたりの伝播距離ｄ’は、下記の数式１２で算出することができる。【数１２】
2020174798.tif 000014
【００６９】  数式１２において、右辺第１項の（ｔ２＋ｔ３）／２は、表示パネル３２のＹ軸方向の中心（中心点ＣＰ）に対応する導光パネル３４の位置と第１の反射面３４ｃとの間における導光パネル３４の平均厚さ（表示パネル３２と導光パネル３４の対向方向（Ｚ軸方向）のサイズ）を示している。具体的には、ｔ２は第１の反射面３４ｃでの導光パネル３４の厚さであって、ｔ３は表示パネル３２のＹ軸方向の中心（中心点ＣＰ）に対応する導光パネル３４の位置での該導光パネル３４の厚さである。
【００７０】  数式１１によって算出される入射角が臨界角θ２になるまでの反射回数Ｎ’と数式１２によって算出される反射一回あたりの伝播距離ｄ’との積が、数式１０に示すように導光パネルの長さＬ２の１／２倍〜３／２倍の範囲である場合に、第１の反射面３４ｃで反射された光が表示パネル３２の中央部分を通過することができる。
【００７１】  なお、数式１０に数式１１および１２を代入することにより、数式１０を下記の数式１３のように書き換えることができる。【数１３】
2020174798.tif 000015
【００７２】  したがって、図６に示すように導光パネル３４の形状を示すパラメータα、β、Ｌ１およびＬ２を、数式１、２、４、９、および１３を満足するように設定すれば、導光パネル３４は、表示パネル３２の中央部分を多くの光が通過するようにその出射面３４ｂから光を出射することができる。
【００７３】  このような本実施の形態１に係る表示装置２０によれば、高輝度の映像を出力することができる。このことについて、具体的に説明する。
【００７４】  図７は、本実施の形態１に係る表示装置と観察者のアイボックスとの位置関係を示す図である。
【００７５】  図１および図７に示すように、本実施の形態１の場合、表示装置２０から出力された光（映像）は、反射光学系ＲＳを介して、観察者ＯｂのアイボックスＥＢに導かれる。
【００７６】  図７に示すように、本実施の形態１の場合、車両１０に搭乗する観察者ＯｂのアイボックスＥＢは、左右方向Ｄ１が長く、上下方向Ｄ２が短い領域である。なお、左右方向および上下方向は、観察者Ｏｂを基準とする方向である。本実施の形態１の場合、左右方向Ｄ１は車両１０の車幅方向に実質的に対応し、上下方向Ｄ２は車両１０の高さ方向に実質的に対応する。また、図７に示すように、表示装置２０における表示パネル３２の短手方向（Ｘ軸方向）がアイボックスＥＢの上下方向Ｄ２に対応するように、ヘッドアップディスプレイ１４が車両１０に搭載されている。
【００７７】  上述したように、また図５Ａおよび図５Ｂに示すように、第１の反射面３４ｃで反射されることによって表示パネル３２と導光パネル３４との対向方向（Ｚ軸方向）視で略平行光である導光パネル３４内を伝播する光は、その略平行光の状態で導光パネル３４から表示パネル３２に向かって出射される。その結果、表示パネル３２の短手方向（Ｘ軸方向）への発散が抑制された状態の光が表示装置２０から出力される。それにより、光の一部が観察者ＯｂのアイボックスＥＢの上方や下方を通過することが抑制され、アイボックスＥＢに到達する光の光量が増加する。その結果、表示装置から出力される光の光量が増加し、ウインドシールド１２に映る映像の輝度が増加する。
【００７８】  なお、図７に示すように、観察者ＯｂのアイボックスＥＢの上下方向Ｄ２が表示パネル３２の短手方向（Ｘ軸方向）に対応するようにヘッドアップディスプレイ１４がアイボックスＥＢに対して配置される場合、導光パネル３４は、例えば、下記の不等式を満たすように作製される。【数１４】
2020174798.tif 000016
【００７９】  なお、数式１４において、Ｓ（ｄ２）は、アイボックスＥＢの上下方向Ｄ２のサイズである。Ｌは、図５Ａおよび図５Ｂに示すように、表示パネル３２の長手方向（Ｙ軸方向）の導光パネル３４の長さであって、Ｗは、最外に位置する光源３０Ａ、３０Ｃ間の距離である。
【００８０】  以上のような本実施の形態１によれば、例えば車両のヘッドアップディスプレイに搭載される表示装置において、高輝度の映像を出力することができる。
【００８１】（実施の形態２）  本実施の形態２は、表示装置における導光パネルについて、上述の実施の形態１と異なる。したがって、この異なる本実施の形態２に係る表示装置の導光パネルについて説明する。
【００８２】  図８は、本開示の実施の形態２に係る表示装置における導光パネルの斜視図である。図９は、実施の形態２に係る導光パネルの入射面を示す導光パネルの上面図である。
【００８３】  図８および図９に示すように、本実施の形態２に係る表示装置の導光パネル１３４は、上述の実施の形態１と同様に、その入射面１３４ａに複数のシリンドリカルレンズ１３４ｅを備える。また、シリンドリカルレンズ１３４ｅそれぞれに対して、それを挟むように配置された一対のプリズム１３４ｊが設けられている。プリズム１３４ｊそれぞれは、光取り込み面１３４ｋと反射面１３４ｌを備えている。
【００８４】  シリンドリカルレンズ１３４ｅに入射できない角度で光源３０Ａ〜３０Ｄから出射された光は、プリズム１３４ｊの光取り込み面１３４ｋを介して導光パネル１３４内に取り込まれ、反射面１３４ｌで表示パネル３２の長手方向（Ｙ軸方向）へ反射される。それにより、複数の光源３０Ａ〜３０Ｄから出射された光のほとんどが導光パネル１３４内に取り込まれる。その結果、より高輝度の映像を表示装置は出力することができる。
【００８５】  以上、上述の複数の実施の形態を挙げて、本開示の表示装置、表示装置を備えるヘッドアップディスプレイ、およびヘッドアップディスプレイを備える車両を説明したが、本開示の実施の形態はこれに限らない。
【００８６】  例えば、上述の実施の形態１の場合、図５Ａおよび図５Ｂに示すように、導光パネル３４の入射面３４ａには、複数の光源３０Ａ〜３０Ｃに対応する複数のシリンドリカルレンズ３４ｅが設けられている。しかしながら、本開示の実施の形態は、これに限らない。
【００８７】  狭角配光な光源の場合、シリンドリカルレンズが導光パネルの入射面になくても、光源から出射された光の多くは、導光パネルの側面で反射することなく、第１の反射面に到達することができる。
【００８８】  また、上述の実施の形態１の場合、図３に示すように、導光パネル３４の出射面３４ｂから出射された光が表示パネル３２に向かうように、その光の進行方向を変更するプリズムシートなどの光学部材３６が、表示パネル３２と導光パネル３４との間に配置されている。しかしながら、本開示の実施の形態は、これに限らない。
【００８９】  例えば、第２の反射面３４ｄを適切に光学設計することより、表示パネル３２の法線方向に近い方向に第２の反射面３４ｄが出射面３４ｂに向かって光を反射してもよい。これにより、表示パネル３２と導光パネル３４との間に、導光パネル３４から出射した光の進行方向を変更する光学部材３６を配置する必要がなくなる。
【００９０】  上記実施形態では、移動体が、自動車などの車両１０である場合について説明した。しかし、移動体は車両１０に限らない。移動体は、人が乗る乗り物であってもよく、例えば、飛行機又は船であってもよい。移動体は、無人機であってもよい。移動体は、走行するようなものではなく、振動するものであってもよい。
【００９１】  以上のように、本開示における技術の例示として、複数の実施の形態を説明した。そのために、添付図面および詳細な説明を提供した。
【００９２】  したがって、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９３】  また、上述の実施の形態は、本開示における技術を例示するためのものであるから、請求の範囲またはその均等の範囲において種々の変更、置き換え、付加、省略などを行うことができる。
【産業上の利用可能性】
【００９４】  本開示は、表示装置に適用可能である。また、ヘッドアップディスプレイに本開示は適用可能である。
【符号の説明】
【００９５】    ３０Ａ  光源    ３０Ｂ  光源    ３０Ｃ  光源    ３４    導光パネル    ３４ａ  入射面    ３４ｂ  出射面    ３４ｃ  第１の反射面
【図１】
2020174798.tif 000023
【図２】
2020174798.tif 000024
【図３】
2020174798.tif 000025
【図４Ａ】
2020174798.tif 000026
【図４Ｂ】
2020174798.tif 000027
【図５Ａ】
2020174798.tif 000028
【図５Ｂ】
2020174798.tif 000029
【図６】
2020174798.tif 000030
【図７】
2020174798.tif 000031
【図８】
2020174798.tif 000032
【図９】
2020174798.tif 000033
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
光を出射する光源と、
映像を表示する表示パネルと、
前記光源から出射された光を前記表示パネルに導光する導光パネルと、を有し、
前記導光パネルが、前記光源に対向する入射面、前記表示パネルに対向する出射面、前記入射面に対向する第１の反射面、および前記出射面に対向する第２の反射面を含み、
前記第１の反射面が、前記導光パネル内において前記表示パネルと前記導光パネルの対向方向視で反射光が平行光に近づくように光を反射する凹面形状を備え、且つ、前記入射面に対して０度より大きい角度で傾斜し、前記第２の反射面と９０度より小さい角度で交差している、表示装置。
【請求項２】
前記導光パネルの屈折率をｎ、
前記入射面の直交方向に対する前記第２の反射面の傾き角度をα、
前記入射面に対する前記第１の反射面の傾き角度をβ、
前記入射面での前記対向方向の前記導光パネルの厚さをｔ１、
前記第１の反射面での前記対向方向の前記導光パネルの厚さをｔ２、
前記表示パネルの前記直交方向の中心に対応する位置での前記導光パネルの厚さをｔ３、
前記直交方向の前記導光パネルの長さをＬ１、および
前記表示パネルの前記直交方向の中心に対応する前記導光パネルの位置と前記第１の反射面との間の距離をＬ２とした場合、
以下の式を満たす、請求項１に記載の表示装置。
【数１】
2020174798.tif 000034
【数２】
2020174798.tif 000035
【数３】
2020174798.tif 000036
【数４】
2020174798.tif 000037
【数５】
2020174798.tif 000038
【請求項３】
前記出射面と前記第２の反射面との間の距離が、前記入射面から前記第１の反射面に向かうにしたがって拡大している、請求項１または２に記載の表示装置。
【請求項４】
前記光源が、複数の光源であって、前記入射面に沿って並んでいる、請求項１から３のいずれか一項に記載の表示装置。
【請求項５】
前記複数の光源それぞれと対向する前記入射面の複数の部分に、前記対向方向視で前記光源から出射された光を狭角配光化するシリンドリカルレンズが設けられている、請求項４に記載の表示装置。
【請求項６】
前記対向方向視で前記入射面の中心と前記第１の反射面の中心とを通過する中心線上から外れている前記光源が、対応するシリンドリカルレンズの光軸に対して前記光源の主光線軸が外側にオフセットするように配置されている、請求項５に記載の表示装置。
【請求項７】
前記中心線に対して線対称に配置されている光源同士の第１の反射面の反射光の主光線軸が前記中心線における前記光源と前記入射面の対向方向の中央で交わるように、前記光源がオフセット配置されている、請求項６に記載の表示装置。
【請求項８】
前記シリンドリカルレンズと前記導光パネルの第１の反射面の凹形状の合成焦点距離が前記導光板の導光方向の長さとほぼ一致する、請求項７に記載の表示装置。
【請求項９】
前記シリンドリカルレンズを挟むように配置された一対のプリズムが設けられ、
前記一対のプリズムは、前記光源から出射された光を前記導光パネルに取り込む光取り込み面を有する、請求項８に記載の表示装置。
【請求項１０】
請求項１から９のいずれか一項に記載の表示装置を有するヘッドアップディスプレイ。
【請求項１１】
アイボックスの上下方向のサイズをＳ（ｄ２）、前記導光パネルの前記表示パネルの長手方向の長さをＬ、最外に位置する光源間の距離をＷとして、以下の式を満たす請求項１０に記載のヘッドアップディスプレイ。
【数６】
2020174798.tif 000039
【請求項１２】
請求項１０または１１に記載のヘッドアップディスプレイと、
前記ヘッドアップディスプレイから出力された映像が投影されるウインドシールドと、を有する移動体。
【請求項１３】
光源から出射された光を表示パネルに導光する導光パネルであって、
前記光源に対向する入射面、前記表示パネルに対向する出射面、前記入射面に対向する第１の反射面、および前記出射面に対向する第２の反射面を含み、
前記第１の反射面が、前記導光パネル内において前記表示パネルと前記導光パネルの対向方向視で反射光が平行光に近づくように光を反射する凹面形状を備え、且つ、前記入射面に対して０度より大きい角度で傾斜し、前記第２の反射面と９０度より小さい角度で交差している、導光パネル。
【国際調査報告】
2020174798.tif 000040
2020174798.tif 000041
2020174798.tif 000042
2020174798.tif 000043
2020174798.tif 000044
2020174798.tif 000045